(57)【特許請求の範囲】
【請求項１】
杆状部分を有するベッドのボードに設けられる付属品の保持装置において、
上記杆状部分に着脱自在かつ移動自在に取り付けられる基部と、
この基部と一体に設けられ上記付属品を所定の角度で傾斜して保持する保持部とを具備し、
上記基部は、ほぼ逆Ｕ字状に形成され上記ボードの杆状部分に係合する係合部及びこの係合部の一対の端部に折曲形成された一対の水平部とを有し、
上記係合部にはこの係合部を上記杆状部分に固定する締結具が設けられ、上記保持部は上記基部に向って傾斜していることを特徴とするベッド用付属品の保持装置。
【発明の詳細な説明】
【０００１】
【発明の属する技術分野】
この発明はベッドのヘッドボードあるいはフットボードに設けられるベッド用付属品の保持装置及び付属品が取り付けられるベッド用ボードに関する。
【０００２】
【従来の技術】
たとえば、病院用のベッドにおいては、人工透析を受ける際に、マットレス上に仰臥した患者の体重を正確に測定することがあり、そのために、ベッド用付属品である、上記体重の表示器をベッド用ボードである、ヘッドボードあるいはフットボードに設けることがある。
【０００３】
従来、上記表示器はベッド用ボードに固定的に設けられていた。そのため、上記表示器がベッド用ボードの幅方向一端側に設けられていると、他端側からでは見にくいということがあり、また一端側と他端側との両方から見易いように中央部分に設けるようにすると、ボード越しに患者の介護をする場合に邪魔になるということがある。
【０００４】
上記ボードは通常、垂直に立設されている。そのため、上記表示器をボードの上端に取り付けると、その一部がボードの内面側に突出するから、ベッド上の患者が起き上がる場合に頭部をぶつけることがあったり、上半身を起してボードに寄りかかる場合に邪魔になるなどのこともある。
【０００５】
【発明が解決しようとする課題】
このように、従来はベッド用付属品をボードに固定して設けるようにしていたので、その付属品が利用しにくかったり、邪魔になるということがあり、また付属品がボードの内面側に突出することで、患者が身体をぶつけるなどのことがあった。
【０００６】
この発明は、ボードに設けられる付属品が利用し易くなり、しかも邪魔にならないようにしたベッド用付属品の保持装置を提供することにある。
【０００８】
【課題を解決するための手段】
請求項１の発明は、杆状部分を有するベッドのボードに設けられる付属品の保持装置において、
上記杆状部分に着脱自在かつ移動自在に取り付けられる基部と、
この基部と一体に設けられ上記付属品を所定の角度で傾斜して保持する保持部とを具備し、
上記基部は、ほぼ逆Ｕ字状に形成され上記ボードの杆状部分に係合する係合部及びこの係合部の一対の端部に折曲形成された一対の水平部とを有し、
上記係合部にはこの係合部を上記杆状部分に固定する締結具が設けられ、上記保持部は上記基部に向って傾斜していることを特徴とするベッド用付属品の保持装置にある。
【００１２】
請求項１の発明によれば、保持装置を使い易く、しかも邪魔にならない位置に移動させたり、ボードから取り外すことができるとともに、付属品を所定の角度で傾斜させて保持できるため、その付属品の確認がし易くなる。
【００１３】
また、この発明によれば、保持装置の基部の係合部に一対の水平部を設けたことで、基部をボードから取り外したときに、その水平部によって安定した状態で設置することができ、しかも保持部が基部に向けて傾斜していることで保持部の重心を基部の重心に近づけることができるから、ボードから取り外して設置したときの安定性が向上する。
【００１６】
【発明の実施の形態】
以下、この発明の一実施の形態を図面を参照して説明する。
【００１７】
図１はたとえば人工透析用のベッド１を示し、このベッド１はベースフレーム２を備えている。このベースフレーム２の四隅部にはストッパ付きのキャスタ３が設けられ、ベッド１を自由に移動させることができるようになっている。
【００１８】
上記ベースフレーム２には上下駆動機構５を介して載置フレーム６が上下駆動可能に設けられている。この上下駆動機構５は上記載置フレーム６の下面に設けられた駆動源７によって軸方向に進退駆動される駆動軸８を有する。この駆動軸８の一端部と他端部とにはそれぞれ第１のリンク９の一端が枢着されている。
【００１９】
上記第１のリンク９の他端には、上記載置フレーム６から垂設されたブラケット１１と第２のリンク１２の一端が枢着されている。第２のリンク１２の他端には図示しないローラが回転自在に設けられている。このローラは、上記ベースフレーム２に設けられたレール１３に転動自在に係合している。一方の第２のリンク１２の中途部には第３のリンク１４の一端が枢着され、この第３のリンク１４の他端は上記ベースフレーム２に枢着されている。
したがって、上下駆動機構５の駆動軸５が軸方向に進退駆動されれば、上記第２のリンク１２が起伏駆動されるから、それによって上記載置フレーム６が上下動されるようになっている。
【００２０】
上記載置フレーム６上には複数のロードセル１５を介してベッドフレーム１６が取り付けられている。ロードセル１５は荷重を受けることでたわみむと、内蔵されたひずみゲージにたわみ量に応じた電圧が流れるから、その電圧を検出することで、上記ベッドフレーム１６に加わった荷重を算出できるようになっている。
【００２１】
上記ベッドフレーム１６には図示しない床板を介してマットレス２１が載置され、このマットレス２１上には図示しない患者が仰臥する。
【００２２】
上記ベッドフレーム１６は長手方向一端にはヘッドボード２２が立設され、他端にはフットボード２３が立設されている。上記ヘッドボード２２は図４に示すように円筒状のパイプ材からなる一対の縦杆２３の下端部を角筒状の下部横杆２４で連結し、上端部を断面形状が蒲鉾形の管材からなる上部横杆２５で連結するとともに、下部横杆２４と中途部に設けられた横杆２５ａとにはロッド状の複数の補強縦杆２６で連結して構成されている。
【００２３】
ヘッドボード２２の上部はその外面側に向ってくの字状に屈曲した屈曲部２７に形成され、上部横杆２５には保持装置３１が取り付けられている。この保持装置３１は図２（ａ）〜（ｃ）と図３に示すように一体に結合された基部３２と保持部３３とを有する。なお、図３は基部３２と保持部３３とを分解した状態を示している。基部３２は、板状部材を逆Ｕ字状に曲成した係合部３２ａ及びこの係合部３２ａの両端部にほぼ直角に折曲された一対の水平部３２ｂとからなる。
【００２４】
上記保持部３３は、ヘアピン状に曲成された屈曲部３３ａが上記基部３２の一方の水平部３２ｂに固着され、この屈曲部３３ａには上記基部３２に向って傾斜した、正面形状がＵ字状の取付部３３ｂが連続して形成されてなる。
【００２５】
上記取付部３３ｂの中途部には舌片３３ｃが折曲形成され、この舌片３３ｃは上記係合部３２ａの頂部に固着されている。上記取付部３３ｂの上端部の両端は水平に折曲され、そこには棒材を逆Ｕ字状に形成した取っ手３４の両端が固着されている。上記取付部３３ｂには複数の取付孔３３ｄが形成され、この取付部３３ｂには上記ロードセル１５が検出するベッドフレーム１６に加わる荷重を表示するベッド用付属品としての表示器３５が上記取付孔３３ｄを介して取り付けられるようになっている。
【００２６】
上記基部３２係合部３２ａの一方の側辺にはナット３６が固着され、他辺からは上記ナット３６に、このナット３６とで締結具を構成するねじ３７が螺合される。上記基部３２は上記ヘッドボード２２の上部横杆２５に係合される。上部横杆２５の断面形状は非円形状である蒲鉾状であるから、保持装置３１の基部３２は、上記上部横杆２５に回転不能な状態で軸方向に沿って移動自在に係合させることができる。
【００２７】
基部３２を上部横杆２５に係合させた状態でねじ３７を締め込めば、その基部３２を上記上部横杆２５にスライド不能に固定できるようになっている。
【００２８】
このような構成の保持装置３１によれば、基部３２に設けられたねじ３７を緩めることで、ヘッドボード２２の上部横杆２５に沿って移動させることができる。したがって、上記保持装置３１を移動自在な状態にしておけば、医師や介護者は取付部３３ｂに取り付けられた表示器３５が見易い位置になるよう、上記保持装置３１を移動させることができる。しかも、ねじ３７を緩めて移動自在な状態にしても、上記上部横杆２５の断面形状が蒲鉾形であるから、基部３２が上部横杆２５の周方向に沿って回転し、表示器３５が見えなくなるようなことがない。
【００２９】
ベッド１上の患者をヘッドボード２２越しに介護したり、治療するような場合、上記保持装置３１を上部横杆２５の一端側に移動させればよく、さらにはねじ３７を外して上部横杆２５から取り外してもよい。
【００３０】
保持装置３１を上部横杆２５から取り外した場合、その保持装置３１を図示しないサイドテーブル上に載置する。その場合、保持装置３１はその基部３２の一対の水平部３２ｂがテーブルの板面に接合するから、安定性よく載置することができる。しかも、表示器３５が取り付けられた保持部３３が基部３２の方向に傾斜しているから、保持部３３の重心が基部３２の重心に一致あるいは十分に近づいた状態にある。そのため、そのことによっても保持装置３１は安定した立位状態でテーブル上に載置するることができる。
【００３１】
表示器３５が取り付けられた保持部３３は所定の角度で傾斜している。そのため、ヘッドボード２２に取り付けた状態やテーブル上に載置したいずれの情態であっても、その表示面が見易い。
【００３２】
上記ヘッドボード２２の保持装置３１が取り付けられる上部は外面側に向って屈曲した屈曲部２７に形成されている。そのため、ヘッドボード２２の上部に取り付けられた表示装置３１がヘッドボード２２の内面側に突出することがないから、ベッド１上の患者が上半身を起すときに、上記表示装置３１に頭部などの身体をぶつけるようなことがないばかりか、上半身を起してヘッドボード２２に寄り掛かる姿勢を取るときに、上記表示装置３１が邪魔になるということもない。
【００３３】
ベッドフレーム１６はロードセル１５を介して載置フレーム６に取り付けられている。そのため、ベッド１のベッドフレーム１６以外の部分、たとえばベースフレーム１などに荷重が加わっても、その荷重をロードセル１５が検出することがないから、患者の体重を精度よく検出することができ、測定精度が低下するのを防止できる。
【００３４】
上記一実施の形態では患者の体重を測定できるベッドを挙げたが、体重以外に寝床内環境温度を測定する場合にも、その温度を表示する表示器が必要となるから、この発明の保持装置及びボードが有効である。
【００３５】
さらに、ベッド用の付属品としては表示器に限られず、それ以外のものであってもよく、要はヘッドボードあるいはフットボードのボードに取り付けて使用するものであれば、この発明を適用することが可能である。
【００３６】
【発明の効果】
請求項１の発明によれば、保持装置がボードに移動自在かつ着脱自在に設けられているから、保持装置が使い易く、しかも邪魔にならない位置に移動させたり、ボードから取り外して使用するなどのことができる。しかも、保持装置は付属品を所定の角度で傾斜させて保持できるため、その付属品の確認がし易い。
【００３７】
また、この発明によれば、保持装置の基部の係合部に一対の水平部を設け、さらに保持部を基部に向けて傾斜させたから、基部をボードから取り外したときに、その水平部によって安定した状態で設置することができ、しかも傾斜した保持部の重心は基部の重心に近づけることができるから、このことによってもボードから取り外して設置したときの安定性を向上させることができる。
【図面の簡単な説明】
【図１】この発明の一実施の形態を示すベッドの側面図。
【図２】（ａ）は同じく保持装置の正面図、（ｂ）は同じく側面図、（ｃ）は同じく背面図。
【図３】同じく保持装置の分解斜視図。
【図４】同じくヘッドボードの斜視図。
【符号の説明】
１…ベッド
２２…ヘッドボード
２７…屈曲部
３１…保持装置
３２…基部
３２ａ…係合部
３２ｂ…水平部
３３…保持部
３５…表示器（付属品）
３６…ナット（締結具）
３７…ねじ（締結具）
【図１】
0003554203.tif 000002
【図２】
0003554203.tif 000003
【図３】
0003554203.tif 000004
【図４】
0003554203.tif 000005